(57)【要約】【課題】投入開口内に誤って指を差し入れにくい医療用容器を提供する。【解決手段】注射器の針または注射器を収容する容器本体と、前記容器本体の開口部を覆い、前記針または注射器を投入する投入開口１６を有する半透明の蓋部材１０とを備えた医療廃棄容器に関する。前記投入開口１６に装着され、前記投入開口１６の縁部または前記投入開口１６の一部または全部において前記縁部の内側に突出した枠状の枠状部３０と、前記枠状部３０を前記蓋部材１０の投入開口１６に固定するための係合部とが前記容器本体および前記蓋部材１０とは異なる色の樹脂パーツ３で一体に形成されている。【選択図】図３
0003150338.tif 000002
【実用新案登録請求の範囲】
【請求項１】
注射器の針または注射器を収容する容器本体と、
前記容器本体の開口部を覆い、前記針または注射器を投入する投入開口を有する半透明の蓋部材とを備えた医療廃棄容器であって、
前記投入開口に装着され、前記投入開口の縁部または前記投入開口の一部または全部において前記縁部の内側に突出した枠状の枠状部と、前記枠状部を前記蓋部材の投入開口に固定するための係合部とが前記容器本体および前記蓋部材とは異なる色の樹脂パーツで一体に形成されている医療廃棄容器。
【請求項２】
請求項１において、前記蓋部材は、
前記容器本体の開口部に固定され前記投入開口を有する内蓋と、
前記内蓋の前記投入開口を閉塞する外蓋と、
前記内蓋の端部において、かつ、前記容器本体の側壁の上端近傍において、前記外蓋を前記内蓋に対して回転可能に支持するヒンジとを備えている医療廃棄容器。
【請求項３】
請求項２において、前記投入開口よりも前記枠状部の内縁で定義される絞り開口の方が小さい医療廃棄容器。
【請求項４】
請求項３において、前記蓋部材は前記投入開口に沿って、前記容器本体内に向かって突出するループ状の第１スカートを有し、
前記樹脂パーツは前記第１スカートに接触ないし近接するスカート状の接触部と、前記絞り開口の内縁に沿って延び前記容器本体内に向かって突出する第２スカートとを更に備え、前記接触部と前記第２スカートとがループ状に連なっている医療廃棄容器。
【請求項５】
請求項４において、前記投入開口は互いに対向する第１辺および第２辺と、前記第１および第２辺に隣接する第３辺および第４辺とを有し、前記接触部は前記第１辺の全域と前記第３辺および第４辺の一部にわたって連なって設けられており、
前記係合部は前記第１辺において前記接触部が前記第１スカートに接触ないし近接した状態を保持する第１係合部と、前記第３辺および第４辺において前記接触部が前記第１スカートに接触した状態を保持する一対の第２係合部とを包含する医療廃棄容器。
【請求項６】
請求項５において、前記投入開口は各コーナが曲線に形成された概ね四角形状であり、前記コーナ曲線に沿って前記第１スカートおよび接触部の前記コーナに相当する部分が湾曲して形成されている医療廃棄容器。
【考案の詳細な説明】
【技術分野】
【０００１】
本考案は医療廃棄容器に関するものである。
【背景技術】
【０００２】
従来より、注射針や、シリンジ（注射筒）、注射器を投入して廃棄するための医療廃棄容器が提案されている（特許文献１参照）。
【先行技術文献】
【特許文献】
【０００３】
【特許文献１】実用新案登録第３１４２３８６号（要約書）
【考案の概要】
【考案が解決しようとする課題】
【０００４】
特許文献１の医療廃棄容器１は、図８に示すように、針、シリンジまたは注射器などからなる廃棄物を収容する容器本体１２と、内蓋１３および外蓋１４からなる蓋１０を備えている。前記内蓋１３には、前記廃棄物を投入するための投入開口１６が形成されている。
【０００５】
看護師などの使用者は、注射器を使用する度に、前記廃棄物を前記投入開口１６から容器本体１２内に投入し、容器本体１２内に投入された廃棄物が所定量に達すると、外蓋１４を閉めて医療廃棄容器１全体を廃棄する。
【０００６】
前記内蓋１３および前記外蓋１４は、容器本体１２内に廃棄物が貯まった量を把握し易いように、無色半透明の樹脂で形成されている。そのため、外蓋１４で投入開口１６が閉塞されているか否かわかりにくい場合がある。
【０００７】
本容器を用いる際には、前記外蓋１４を矢印方向Ｒに回転させて外蓋１４を容器本体１２の背面に固定させた状態にして用いる。そのため、外蓋１４が目立ちにくいので、看護師等は前記投入開口１６が外蓋１４で閉じられていると錯誤し易く、こうした場合投入開口１６に指等を入れてしまうことがある。また、外蓋１４が固定され、かつ、目立たないため、外蓋１４が開いたままの状態で本容器を持ち歩くことがある。また、外蓋１４が目立たないため、外蓋１４で投入開口１６が閉じられているのに針を投入開口１６から投入しようとする場合もある。
【０００８】
また、容器本体１２内に投入された廃棄物が所定量以上になっても医療廃棄容器１全体を廃棄せずにそのまま使用することがある。
この場合、前記投入開口１６の近傍のレベルまで針の先が達し、一方、注射器及び内蓋は無色半透明であり、かつ針の先端は極めて細いので、前記針の先端がどのレベルまで存在するか認識できていない場合がある。
このような場合に、看護士等が使用済みの針を投入開口１６から廃棄しようとすると、針の先端に指先が触れたり刺さるようなことが生じ得る。
【０００９】
したがって、本案は投入開口内に誤って指を差し入れにくい医療用容器を提供することを目的とする。
【課題を解決するための手段】
【００１０】
前記目的を達成するために、本考案は、注射器の針または注射器を収容する容器本体と、前記容器本体の開口部を覆い、前記針または注射器を投入する投入開口を有する半透明の蓋部材とを備えた医療廃棄容器であって、前記投入開口に装着され、前記投入開口の縁部または前記投入開口の一部または全部において前記縁部の内側に突出した枠状の枠状部と、前記枠状部を前記蓋部材の投入開口に固定するための係合部とが前記容器本体および前記蓋部材とは異なる色の樹脂パーツで一体に形成されている。
【考案の効果】
【００１１】
本考案によれば、容器本体および蓋部材とは異なった色からなる樹脂パーツが投入開口に装着されているので、投入開口の位置が把握し易い。
【００１２】
本考案の好適な実施の態様では、前記蓋部材は、前記容器本体の開口部に固定され前記投入開口を有する内蓋と、前記内蓋の前記投入開口を閉塞する外蓋と、前記内蓋の端部において、かつ、前記容器本体の側壁の上端近傍において、前記外蓋を前記内蓋に対して回転可能に支持するヒンジとを備えている。
【００１３】
この場合、前記樹脂パーツの存在により前記投入開口が閉じているか否かが分かり易く、したがって、投入開口が閉じていると錯誤するおそれがない。
【００１４】
本考案において、前記投入開口よりも前記枠状部の内縁で定義される絞り開口の方が小さい場合には、更に、指を誤って挿入しにくくなる。
【００１５】
本考案の更に好適な実施の態様においては、前記蓋部材は前記投入開口に沿って、前記容器本体内に向かって突出するループ状の第１スカートを有し、前記樹脂パーツは前記第１スカートに接触ないし近接するスカート状の接触部と、前記絞り開口の内縁に沿って延び前記容器本体内に向かって突出する第２スカートとを更に備え、前記接触部と前記第２スカートとがループ状に連なっている。
【００１６】
この場合、第１および第２スカートにより、投入開口の上端まで針が貯まるおそれがない。
【００１７】
本考案の更に好適な実施の態様においては、前記投入開口は互いに対向する第１辺および第２辺と、前記第１および第２辺に隣接する第３辺および第４辺とを有し、前記接触部は前記第１辺の全域と前記第３辺および第４辺の一部にわたって連なって設けられており、前記係合部は前記第１辺において前記接触部が前記第１スカートに接触ないし近接した状態を保持する第１係合部と、前記第３辺および第４辺において前記接触部が前記第１スカートに接触ないし近接した状態を保持する一対の第２係合部とを包含する。
【００１８】
この場合、第１および一対の第２係合部により、樹脂パーツが内蓋に固定されるので、樹脂パーツの固定状態が安定する。
【００１９】
この場合、前記投入開口は各コーナが曲線に形成された概ね四角形状であり、前記コーナ曲線に沿って前記第１スカートおよび接触部の前記コーナに相当する部分が湾曲して形成されていると、前記樹脂パーツを前記投入開口に回転して装着できるので、樹脂パーツを装着し易くなる。
【図面の簡単な説明】
【００２０】
【図１】本考案の実施例１にかかる医療廃棄容器の樹脂パーツおよび蓋部材を示す概略斜視図である。
【図２】同樹脂パーツおよび蓋部材を示す裏面からの概略斜視図である。
【図３】同樹脂パーツの取付状態を示す概略斜視図である。
【図４】同脂パーツの取付状態を示す裏面からの概略斜視図である。
【図５】図５（ａ）は樹脂パーツの平面図、図５（ｂ）は樹脂パーツの側面図、図５（ｃ）は樹脂パーツの底面図、図５（ｄ）は図５（ａ）における Vd-Vd線断面図である。
【図６】図６（ａ）〜図６（ｄ）は本考案の実施例２にかかる樹脂パーツを示し、図６（ａ）は樹脂パーツの平面図、図６（ｂ）は樹脂パーツの側面図、図６（ｃ）は樹脂パーツの底面図、図６（ｄ）は図６（ａ）における VId-VId線断面図である。
【図７】同樹脂パーツの取付方法を示す裏面から見た概略断面図である。
【図８】従来の医療廃棄容器を示す概略斜視図である。
【実施例１】
【００２１】
以下、本考案に係る医療廃棄容器の実施例を図面にしたがって説明する。
図１〜図５は実施例１を示す。
【００２２】
医療廃棄容器：
本考案に係る医療廃棄容器は、注射針、シリンジまたは注射器などの医療廃棄物を廃棄するための容器であり、前記医療廃棄容器には、図３に示すように、内蓋１３の投入開口１６に樹脂パーツ３が取り付けられている。
図３および図４の網点で示すように、前記樹脂パーツ３は、蓋部材１０および容器本体１２（図８）とは異なる色の樹脂で一体に形成されている。
【００２３】
前記樹脂パーツ３の説明に先立ち、まず、前記樹脂パーツ３が装着される前の容器１について、図８に示す従来の医療廃棄容器１を例示して説明する。
図８に示すように、前記容器１は方形状の容器であり、容器本体（収容部）１２と、内蓋１３および外蓋１４からなる蓋部材１０とを備えている。
【００２４】
医療廃棄容器１は、容器本体１２に対して回転可能な把手１９ｂを備えており、前記把手１９ｂを持って医療廃棄容器１を持ち運ぶことが可能である。
【００２５】
蓋部材１０：
前記蓋部材１０を構成する内蓋１３および外蓋１４は一体に成形され、内蓋１３と外蓋１４の間にはヒンジ１５が形成されている。内蓋１３は、容器本体１２の上部の開口部を覆うように嵌め込まれており、外蓋１４は、前記ヒンジ１５を中心に回転可能となっている。
【００２６】
前記内蓋１３は、その上面に前記廃棄物が投入される投入開口１６や、注射針の取り外しに用いる有底の取外し凹部１７などを備えている。前記廃棄物を投入開口１６から医療廃棄容器１の内部に投入するには外蓋１４を開状態に固定した状態で行う。
【００２７】
前記蓋部材１０は、半透明の樹脂で形成されており、前記蓋部材１０の透明度は、容器本体１２の透明度よりも高く設定されている。すなわち、蓋部材１０の内蓋１３および外蓋１４は、容器本体１２内に廃棄物が貯まった量を把握し易いように、無色透明の樹脂で形成されている。
【００２８】
ヒンジ１５：
前記ヒンジ１５は、前記内蓋１３を容器本体１２に嵌め込んだ状態において、医療廃棄容器１の背面側に設けられている。
医療廃棄容器１内に前記廃棄物を投入するには、前記外蓋１４を矢印方向Ｒに回転させて外蓋１４を容器本体１２の背面に固定させた開状態にして用いる。
一方、医療廃棄容器１内に収納された前記廃棄物の廃棄を行う際には、前記ヒンジ１５を中心に外蓋１４を回動させ、投入開口１６を閉じた上で、外蓋１４の先端に設けた２つの爪１８ａを折り曲げて、内蓋１３上面に設けた２つの嵌合孔１８ｂにそれぞれ押し込み、外蓋１４が開かないように閉じる。
【００２９】
第１スカート１１：
図１および図２に示すように、前記投入開口１６は、互いに対向する第１辺２１および第２辺２２と、前記第１辺２１および第２辺２２に隣接する第３辺２３および第４辺２４とを有している。前記投入開口１６には、該投入開口１６の第１〜第４辺２１〜２４に沿って、容器本体１２（図８）内に向って突出するループ状の第１スカート１１が形成されている。
【００３０】
樹脂パーツ３：
図１に示すように、樹脂パーツ３は、前記投入開口１６の縁部２０において、該縁部２０の内側に突出した枠状の枠状部３０と、後述する係合部とが一体に形成されている。
【００３１】
枠状部３０；
図１および図３に示すように、前記枠状部３０は、閉塞蓋４３およびループ部３１により構成されている。閉塞蓋４３およびループ部３１によって、枠状部３０の内縁３０ａには絞り開口３０ｂが定義される。前記絞り開口３０ｂは投入開口１６よりも小さく設定されている。
【００３２】
接触部４１および第２スカート４２；
図２、図５（ｃ）および図５（ｄ）に示すように、前記閉塞蓋４３の下部には、ループ状に連なって形成された接触部４１および第２スカート４２が下方に向って突出して形成されている。
図２および図４に示すように、前記接触部４１は前記投入開口１６に形成された第１スカート１１に接触ないし近接するように形成されている。第２スカート４２は、第１辺２１の全域と、第３辺２３および第４辺２４の一部にわたって連なって設けられている。なお、本実施例１では、第１辺２１がヒンジ１５側（背面側）に設定されている。
一方、第２スカート４２は、図３に示す前記絞り開口３０ｂの内縁３０ａに沿って延び、容器本体１２（図８）内に向って突出するように形成されている。
【００３３】
係合部；
図５（ａ）〜図５（ｃ）に示すように、接触部４１の第１辺２１（図２）側の面には鉤状の第１係合部３１が形成されている。
図４に示すように、樹脂パーツ３を内蓋１３の投入開口１６に嵌め込むと、接触部４１が第１辺２１と第３辺２３および第４辺２４の一部に接触ないし近接すると共に、図５（ｂ）に示す前記第１係合部３１が、図２に示す第１辺２１側の第１スカート１１の下端部１１ｄに係合し、樹脂パーツ３が投入開口１６に固定される。
したがって、前記接触部４１および第１係合部３１は、枠状部３０を内蓋１３（蓋部材１０）の投入開口１６に固定するための係合部を構成している。
【実施例２】
【００３４】
図６および図７は実施例２を示す。
図６（ｂ）〜図６（ｄ）に示すように、接触部４１には一対の第２係合部３２が形成されている。前記第２係合部３２は、図２に示す第３辺２３および第４辺２４に向って突出するように形成されている。第２係合部３２が前記第３辺２３および第４辺２４の第１スカート１１の下端面１１ｅに接触することで、枠状部３０（図４および図６（ｄ））と該第２係合部３２との間に第１スカート１１が挟持される。したがって、第３辺２３および第４辺２４において接触部４１が第１スカート１１に接触した状態が保持される。
【００３５】
ここで、図１に示すように、投入開口１６の各コーナは曲線に形成された概ね四角形状に設定されている。
一方、図６（ｃ）に示すように、接触部４１には、図１に示す投入開口１６の前記コーナ曲線に沿って第１スカート１１に相当する部分が湾曲して形成されている。
その他の構成は、実施例１と同様であり、同一部分または相当部分に同一符号を付して、その説明を省略する。
【００３６】
取付方法：
前記樹脂パーツ３を投入開口１６に取り付けるには、まず、図７（ａ）に示すように、投入開口１６の第１辺２１〜第４辺２４に対して、接触部４１および第２スカート４２を斜めに挿入する。
前記挿入後、内蓋１３（蓋部材１０）に対して樹脂パーツ３を回転させて、図７（ｂ）に示すように樹脂パーツ３を投入開口１６に嵌め込む。
前述したように、樹脂パーツ３の接触部４１には、投入開口１６のコーナ曲線に沿って第１スカート１１に相当する部分が湾曲して形成されているので、スムースに樹脂パーツ３を回転させることができる。
【００３７】
前記樹脂パーツ３を回転させて投入開口１６に嵌め込むことで、第１スカート１１に接触部４１が接触ないし近接すると共に、第１スカート１１に第１係合部３１および第２係合部３２が係合し、樹脂パーツ３が内蓋１３の投入開口１６に固定される。
したがって、前記接触部４１、第１係合部３１および第２係合部３２は、枠状部３０を内蓋１３（蓋部材１０）の投入開口１６に固定するための係合部を構成している。
【００３８】
なお、絞り開口は投入開口と概ね同じ大きさであってもよい。
また、樹脂パーツの接触部は第１スカートの第１辺〜第４辺に接触ないし近接していてもよい。
【産業上の利用可能性】
【００３９】
本考案の医療廃棄容器は、注射器の針または注射器などを廃棄するのに用いることができる。
【符号の説明】
【００４０】
１：医療廃棄容器
３：樹脂パーツ
１０：蓋部材
１１：第１スカート
１２：容器本体
１３：内蓋
１４：外蓋
１５：ヒンジ
１６：投入開口
２１〜２４：第１〜第４辺
３０：枠状部
３０ｂ：絞り開口
３１：第１係合部
３２：第２係合部
４１：接触部
４２：第２スカート
【図１】
0003150338.tif 000003
【図２】
0003150338.tif 000004
【図３】
0003150338.tif 000005
【図４】
0003150338.tif 000006
【図５】
0003150338.tif 000007
【図６】
0003150338.tif 000008
【図７】
0003150338.tif 000009
【図８】
0003150338.tif 000010